(57)【要約】  本発明は、スプレー装置の分野に属し、具体的には、パルセータ洗濯機及びそのスプレーシステム、並びにその外ドラムカバーを提供する。本発明は、従来のパルセータ洗濯機のノズルが外ドラムカバーに設置される際に外ドラムカバー構造が複雑になるという問題を解決することを目的とする。そこで、本発明は外ドラムカバーはカバー体、パイプ、及び複数のノズルを含む。前記パイプは、係合の方式でカバー体に取り付けられ、前記パイプは、給水口と複数の排水口とを含み、各前記排水口は、それぞれ１つの前記ノズルに連通し、各前記ノズルの噴射口はいずれも前記内ドラムに向けられる。このため、本発明の外ドラムカバーは、カバー体に単独の水室を設置することを避け、１本のパイプを取り付けるだけで循環ポンプと複数のノズルとを連通させることができ、外ドラムカバーの構造がより簡単で、作製コストがより低い。
2022500114.tif 000002
【特許請求の範囲】
【請求項１】
筐体、前記筐体内に固定的に設置される外ドラム、及び前記外ドラムに回転可能に設置される内ドラムを備えるパルセータ洗濯機の外ドラムカバーであって、
前記外ドラムカバーはカバー体、前記カバー体に設置されるパイプ、及び複数のノズルを含み、
前記パイプは、給水口と複数の排水口とを含み、各前記排水口は、それぞれ１つの前記ノズルに連通し、
各前記ノズルの噴射口はいずれも前記内ドラムに向けられることを特徴とする外ドラムカバー。
【請求項２】
前記パイプは環状パイプであることを特徴とする請求項１に記載の外ドラムカバー。
【請求項３】
前記パイプには、第１係合構造が設置され、前記カバー体には前記第１係合構造と適合する第２係合構造が設置され、前記パイプと前記カバー体は前記第１係合構造によって、前記第２係合構造に係合することを特徴とする請求項２に記載の外ドラムカバー。
【請求項４】
前記ノズルは、ノズル本体と、前記ノズル本体に固定的に接続され又は一体的に作製された遮水構造とを含み、前記遮水構造には、前記ノズル本体から噴出した洗濯水を分散させて前記内ドラムに跳ね返す円弧状の凹部が設置されることを特徴とする請求項１に記載の外ドラムカバー。
【請求項５】
前記カバー体には、前記複数のノズル及び前記パイプを遮蔽するための遮蔽構造が設置されることを特徴とする請求項１に記載の外ドラムカバー。
【請求項６】
前記複数のノズルは、それぞれ、前記パイプに固定的に接続され又は一体的に作製されるか、前記複数のノズルは、前記外ドラムカバーの周方向に等間隔で設置されるかのうちの少なくとも１つを含むことを特徴とする請求項１〜５のいずれか一項に記載の外ドラムカバー。
【請求項７】
パルセータ洗濯機のスプレーシステムであって、前記スプレーシステムは、給水装置と、請求項１〜６のいずれか一項に記載の外ドラムカバーとを備え、前記給水装置は前記パイプの給水口に連通することを特徴とするスプレーシステム。
【請求項８】
前記給水装置は循環ポンプであり、前記循環ポンプの給水口は前記外ドラムの内腔に連通し、前記循環ポンプの排水口は前記パイプの給水口に連通することを特徴とする請求項７に記載のスプレーシステム。
【請求項９】
前記給水装置は給水弁であり、前記給水弁の給水口は外部に通じ、前記給水弁の排水口は、前記パイプの給水口に連通することを特徴とする請求項７に記載のスプレーシステム。
【請求項１０】
パルセータ洗濯機であって、請求項７〜９のいずれか一項に記載のスプレーシステムを含むことを特徴とするパルセータ洗濯機。
【発明の詳細な説明】
【技術分野】
【０００１】
本発明は、スプレー装置の分野に属し、具体的には、パルセータ洗濯機及びそのスプレーシステム、並びにその外ドラムカバーを提供する。
【背景技術】
【０００２】
パルセータ洗濯機は主に筐体、外ドラム、内ドラム、及びパルセータを含む。ここでは、外ドラムは筐体に固定的に設置され、内ドラムは外ドラム内に回転可能に設置され、パルセータは外ドラムの底部に回転可能に設置される。パルセータ洗濯機が洗濯、濯ぎ作業を行う時に、パルセータは外ドラム中の洗濯水と衣類を駆動して回転させて、衣類を洗浄するという目的を達成する。パルセータ洗濯機で乾燥作業をする時に、内ドラムがその内の衣類を連動させて高速に回転させて、衣類上の水分が遠心力の作用で衣類から離れるようにする。
【０００３】
パルセータ洗濯機を使用する過程には以下の問題がよく存在する。一つ目は、洗剤、洗濯液が外ドラムの底部に沈積して、洗濯水に溶解されにくいことであり、二つ目は、洗濯物が多い場合、洗濯物の一部が洗濯水に浸潤しないことが現れやすいことであり、三つ目は、羽毛などの洗濯物が洗濯時にいつも洗濯水の液面以上に浮かび、洗濯効果が悪いことである。
【０００４】
上記の問題を解決するために、従来のパルセータ洗濯機において、一般的に外ドラムカバーにスプレー装置が設置される。例えば、特許文献１には、パルセータ洗濯機が開示されており、このパルセータ洗濯機の外ドラムカバーは上下に２つのカバー体からなり、２つのカバー体はシール環状により気密的に接続されることで水室が形成される。前記外ドラムカバーには、前記水室に連通する複数のノズルがさらに設置される。前記パルセータ洗濯機が動作する時、循環ポンプは、複数のノズルが内ドラム内の衣類に洗濯水をスプレーするように、前記外ドラムから前記複数のノズルに洗濯水をポンピングすることができる。しかし、この外ドラムカバーの構造が複雑であり、作製コストやメンテナンスコストが高い。
【０００５】
従って、上記の問題点を解決するために、新たなパルセータ洗濯機及びそのスプレーシステム並びに外ドラムカバーがこの分野では求められている。
【先行技術文献】
【特許文献】
【０００６】
【特許文献１】中国実用新案第２０４２８２０６６号明細書
【発明の概要】
【０００７】
従来技術における上述した問題点を解決するために、すなわち、従来のパルセータ洗濯機のノズルが外ドラムカバーに設置される際に外ドラムカバー構造が複雑になるという問題を解決するために、本発明は、筐体、前記筐体内に固定的に設置される外ドラム、及び前記外ドラムに回転可能に設置される内ドラムを備えるパルセータ洗濯機の外ドラムカバーを提供し、前記外ドラムカバーはカバー体、前記カバー体に設置されるパイプ、及び複数のノズルを含み、前記パイプは、給水口と複数の排水口とを含み、各前記排水口は、それぞれ１つの前記ノズルに連通し、各前記ノズルの噴射口はいずれも前記内ドラムに向けられる。
【０００８】
本発明に係る外ドラムカバーの上記好適な実施形態では、前記パイプは環状パイプである。
【０００９】
本発明に係る外ドラムカバーの上記好適な実施形態では、前記パイプには、第１係合構造が設置され、前記カバー体には前記第１係合構造と適合する第２係合構造が設置され、前記パイプと前記カバー体は前記第１係合構造によって、前記第２係合構造に係合する。
【００１０】
本発明に係る外ドラムカバーの上記好適な実施形態では、前記ノズルは、ノズル本体と、前記ノズル本体に固定的に接続され又は一体的に作製された遮水構造とを含み、前記遮水構造には、前記ノズル本体から噴出した洗濯水を分散させて前記内ドラムに跳ね返す円弧状の凹部が設置される。
【００１１】
本発明に係る外ドラムカバーの上記好適な実施形態では、前記カバー体には、前記複数のノズル及び前記パイプを遮蔽するための遮蔽構造が設置される。
【００１２】
本発明に係る外ドラムカバーの上記好適な実施形態では、前記複数のノズルは、それぞれ、前記パイプに固定的に接続され又は一体的に作製されるか、前記複数のノズルは、前記外ドラムカバーの周方向に等間隔で設置されるかのうちの少なくとも１つを含む。
【００１３】
また、本発明は、パルセータ洗濯機のスプレーシステムを提供し、前記スプレーシステムは、給水装置と、上記いずれか一項に記載の外ドラムカバーとを備え、前記給水装置は前記パイプの給水口に連通する。
【００１４】
本発明に係るスプレーシステムの上記好適な実施形態では、前記給水装置は循環ポンプであり、前記循環ポンプの給水口は前記外ドラムの内腔に連通し、前記循環ポンプの排水口は前記パイプの給水口に連通する。
【００１５】
本発明に係るスプレーシステムの上記好適な実施形態では、前記給水装置は給水弁であり、前記給水弁の給水口は外部に通じ、前記給水弁の排水口は、前記パイプの給水口に連通する。
【００１６】
また、本発明は、上述した好適な実施形態のいずれか一項に記載のスプレーシステムを含むパルセータ洗濯機を提供する。
【００１７】
当業者であれば理解できるように、本発明の好適な技術案では、外ドラムカバーのカバー体に単独のパイプを設け、該パイプと複数のノズルとをそれぞれ連通させることにより、本発明の外ドラムカバーは、ノズルがドラム中の衣類を正常にスプレーすることを保証できるという前提の下で、外ドラムカバーの構造を簡略化し、外ドラムカバーの作製コストを削減する。
【００１８】
本発明の可能な一実施形態では、パイプは給水口を介して循環ポンプの排水口と連通する。パイプには第１係合構造が設置され、前記カバー体には、前記第１係合構造と適合する第２係合構造が設置され、前記パイプと前記カバー体は前記第１係合構造を介して前記第２係合構造に係合する。従って、カバー体に第２係合構造を設置するだけでパイプを固定することができ、カバー体の構造を簡略化し、更にカバー体の生産に必要な金型の構造を簡略化し、カバー体の作製コストを削減することができる。さらに、パイプに損傷で水漏れが発生した場合、外ドラムカバー全体を交換する必要なく、パイプをカバー体から外すだけで交換できる。このため、本発明は、外ドラムカバーのメンテナンスコストを削減こともできる。
【図面の簡単な説明】
【００１９】
【図１】本発明に係るパルセータ洗濯機の平面図である。
【図２】図１のＡ−Ａ方向に沿った断面図である。
【図３】本発明の外ドラムカバーの側面図である。
【図４】本発明の外ドラムカバーの平面図である。
【図５】本発明の外ドラムカバーの下面図である。
【図６】図４のＢ−Ｂ方向に沿った断面図である。
【図７】本発明の第１実施例におけるノズルの第１側面図である。
【図８】本発明の第１実施例におけるノズルの第２側面図である。
【図９】本発明の第１実施例におけるノズルの正面図である。
【図１０】図９のＣ−Ｃ方向に沿った断面図である。
【図１１】本発明の第１実施例におけるノズルのスプレー効果を模式的に示す第１図である。
【図１２】本発明の第１実施例におけるノズルのスプレー効果を模式的に示す第２図である。
【図１３】本発明の第２実施例におけるノズルの正面図である。
【図１４】図１３のノズルの右側を示す模式図である。
【図１５】本発明の第１実施例におけるノズルのスプレー効果を模式的に示す図である。
【発明を実施するための形態】
【００２０】
以下、本発明の好適な実施形態について、パルセータ洗濯機を参照し、図面を参照しながら説明する。
【００２１】
ここでの実施形態が本発明の技術的原理を説明するためのものに過ぎず、本発明の保護範囲を限定するものではないことを、当業者は理解するであろう。例えば、本発明のノズルは、パルセータ洗濯機だけでなく、散水車、除塵機、スプリンクラー等の他の任意の使用可能なスプレー装置にも適用することができる。当業者は必要に応じてそれを調整して、具体的な応用状況に適応することができ、調整後の技術案は依然として本発明の保護範囲に含まれる。
【００２２】
なお、本発明の説明において、「中心」、「上」、「下」、「左」、「右」、「垂直」、「水平」、「内」、「外」などの方向または位置関係を示す用語は、単に図面に示された方向または位置関係に基づくものであり、これは単に説明を容易にするためのものであって、上記装置または要素が特定の方位を有し、特定の方位で構成し動作しなければならないことを示すものではない。したがって、本発明に対する制限として理解することはできない。また、「第１」、「第２」、「第３」という用語は、目的を説明するためにのみ使用され、相対的な重要性を示すものまたは暗示的なものとして理解することはできない。
【００２３】
なお、本発明の説明においては、特に明確な規定や限定がない限り、用語「取り付け」、「接続」、「連結」は広義に理解されるべきであり、例えば、固定接続であってもよく、取り外し可能な接続であってもよく、一体的な接続であってもよく、機械的接続であってもよく、電気接続であってもよく、直接接続であってもよく、中間媒体によって間接的に接続されてもよく、２つの要素内部の連通であってもよい。当業者であれば、具体的な状況によって上述した用語の本発明における具体的な意味を理解することができる。
【００２４】
図１及び図２に示すように、本発明のパルセータ洗濯機は、主に筐体１と、外ドラム２と、内ドラム３と、パルセータ４と、駆動モータ５と、排水弁６と、排水管７とを備える。ここで、外ドラム２は、筐体１の内部に固定的に設置され、内ドラム３は外ドラム２に回転可能に設置され、パルセータ４は内ドラム３の底部に回転可能に設置される。駆動モータ５は筐体１または外ドラム２に固定的に取り付けられ、駆動モータ５は回転軸により内ドラム３およびパルセータ４とそれぞれ駆動接続される。駆動モータ５は、内ドラム３とパルセータ４の回転を選択的に駆動することができる。駆動モータ５は、内ドラム３とパルセータ４とを選択的に駆動する技術的解決手段が当業者によく知られている技術手段であるため、ここではこれ以上説明しない。さらに、排水弁６の給水口は排水管を介して外ドラム２の内腔に連通し、排水弁６の排水口は排水管７を介して筐体１の外に通じる。外ドラム２内の洗濯水を排出する必要がある場合、排水弁６が開放され、洗濯水は排水パイプ７から外部へ排出される。
【００２５】
好ましくは、排水弁６に連通した外ドラム２上の排水口は、外ドラム２の底部に位置し、外ドラム２内の洗濯水がこの排水口を介して全部排出できるようにする。更に好ましくは、排水弁６が筐体１の内壁に取り付けられるか、当業者であっても必要に応じて外ドラム２の外壁に排水弁６を取り付けてもよい。また、当業者は必要に応じて排水弁６と外ドラム２との間の水管を省き、排水弁６を外ドラム２に直接取り付け、外ドラム２の内腔に連通させることもできる。
【００２６】
図２に示すように、本発明の筐体１の最上部にはハブ１１が取り付けられ、ハブ１１にはドアカバー１２がヒンジ接続される。外ドラム２の最上部には外ドラムカバー２１が設置され、外ドラムカバー２１は内ドラム３の上縁を遮蔽するために用いられ、衣類は外ドラム２と内ドラム３との間の中間層に入ることを防止する。
【００２７】
図３から図６に示すように、外ドラムカバー２１は、主に、カバー体２１１、環状腔２１２、および給水口２１３を含み、ここでは、環状腔２１２および給水口２１３は、共にカバー体２１１に設置される。当業者が理解できるように、カバー体２１１は一体的に作製された構造であってもよいし、複数の別体構造で取り付けてもよい。例示的には、カバー体２１１は、上カバー体と下カバー体とを含み、上カバー体と下カバー体の少なくとも１つに環状溝が設置される。上カバー体と下カバー体とが一体になって取り付けられると、上カバー体と下カバー体とは、環状溝を前記環状腔２１２に閉鎖する。
【００２８】
図２、図５及び図６に示すように、本発明のパルセータ洗濯機は、循環ポンプ８、循環水管９、環状腔２１２、給水口２１３、及び複数のノズル１０を含むスプレーシステムをさらに備える。
【００２９】
図２に示すように、循環ポンプ８の給水口は、水管を介して外ドラム２の内腔に連通し、循環ポンプ８の排水口は、循環水管９を介して外ドラムカバー２１上の給水口２１３に連通する。好ましくは、外ドラム２上の循環ポンプ８に連通する排水口は外ドラム２の底部に位置する。更に好ましくは、筐体１の内壁に循環ポンプ８を取り付けてもよいし、当業者は必要に応じて外ドラム２の外壁に循環ポンプ８を取り付けてもよい。また、当業者であれば、必要に応じて、循環ポンプ８と外ドラム２との間のパイプを省き、循環ポンプ８を外ドラム２に直接取り付け、外ドラム２の内腔に連通させることもできる。
【００３０】
図５及び図６に示すように、複数のノズル１０は、外ドラムカバー２１の周方向に沿って等間隔に、カバー体２１１に固定的に接続され又は一体的に成形され、各ノズル１０はそれぞれ環状腔２１２に連通する。さらに、各ノズル１０の噴射口は内ドラム３に向けられる。また、当業者であれば、必要に応じて複数のノズル１０を不均等間隔でカバー体２１１に設置することもできる。
【００３１】
引き続き図５及び図６を参照すると、外ドラムカバー２１のカバー体２１１の内側には環状の遮蔽構造２１１１がさらに設置され、この遮蔽構造２１１１はノズル１０を遮蔽し、ノズル１０がユーザーに視認されないようにすることで、カバー２１の外観を好適にする。
【００３２】
図には示されていないが、本発明の別の可能な実施例では、当業者が必要に応じて、複数のノズル１０を外ドラム２の最上部に直接固定してから、循環水管９を直接又は他の水管を介して各ノズル１０に連通させるようにしてもよい。
【００３３】
図２に示すように、循環ポンプ８が動作する際には、外ドラム２内の洗濯水を吸引し、外ドラムカバー２１上の環状腔２１２に循環水管９を介してポンプで送ることができ、さらにノズル１０が内ドラム３内に洗濯水を噴出し、内ドラム３内の衣類にスプレーをかけることができる。
【００３４】
なお、図には示されていないが、本発明のスプレーシステムの別の可能な実施例においては、当業者は必要に応じて外ドラムカバー２１上の給水口２１３を、水管を介してパルセータ洗濯機の給水弁に連通させるようにしてもよい。給水弁の給水口が蛇口に接続されている場合、水道水は給水弁、水管及び給水口２１３の経路に沿って環状腔２１２に供給され、ノズル１０が水道水を内ドラム３内の衣類に噴射し、衣類を濡らすことができる。
【００３５】
さらに、当業者は、必要に応じて、本発明のスプレーシステムが、上記の循環ポンプ８、循環水管９、給水弁及び給水弁と給水口２１３とを連通させる水管を同時に有し、且つ、給水弁と給水口２１３とに一つの遮断弁を直列に接続させるようにしてもよい。この場合、循環ポンプ８と給水弁は、それぞれ又は共同で給水装置として使用することができる。水道水で洗濯物をスプレーする必要がある場合、給水弁と遮断弁が開放される。外ドラム２内の洗濯水で衣類をスプレーする必要がある場合、循環ポンプ８が動作する。
【００３６】
本発明のノズル１０について、図７から図１５を参照しながら詳細に説明する。ここで、図７から図１２は本発明のノズル１０の第１実施例であり、図１３から図１５は本発明のノズル１０の第２実施例である。
【００３７】
図７から図１０に示すように、本発明の第１実施例では、ノズル１０はノズル本体１０１および遮水構造１０２を含む。ここで、ノズル本体１０１と遮水構造１０２は、例えば、はんだづけ、溶接、接着などの任意の可能な接続方式を用いて固定されてもよい。或いは、当業者であれば、必要に応じてノズル本体１０１と遮水構造１０２とを一体にして作製してもよい。
【００３８】
図８および図１０に示すように、ノズル本体１０１内には噴射通路１０１１が設置される。ノズル１０が外ドラムカバー２１に取り付けられると、図１０の噴射通路１０１１の下端は環状腔２１２に連通する。環状腔２１２における洗濯水は、噴射通路１０１１を流れた後、図１０の噴射通路１０１１の上端から遮水構造１０２に噴出し、遮水構造１０２は、洗濯水を分散させ、内ドラム３に跳ね返す。当業者であれば、ノズル本体１０１は、例えば、円形柱構造、角パイプ柱構造、円錐管柱構造等の任意の可能な形状であってもよい。
【００３９】
図７から図１０に示すように、遮水構造１０２は、ノズル本体１０１の軸方向に沿って噴射通路１０１１を遮蔽する。遮水構造１０２のノズル本体１０１に面する側に凹部１０２１が設置される。好ましくは、この凹部１０２１は、円弧面を有する凹部であり、すなわち凹部１０２１の内面が円弧面である。更に好ましくは、遮水構造１０２は全体的にスプーン状構造である。また、当業者は必要に応じて、遮水構造１０２を他の任意の可能な構造、例えば、凹面を有する板状構造又は凹面を有するブロック構造に設定してもよい。
【００４０】
図１０に示すように、洗濯水は噴射通路１０１１から噴出した後、凹部１０２１内に束状に噴出する。凹部１０２１内に落下した洗濯水は、落下点から凹部１０２１の弧面に沿って広がり、最後に凹部１０２１の縁から扇形をなす滝状の水流（図１１及び図１２に示す）が流れて内ドラム３内に入る。
【００４１】
当業者であれば理解できるように、凹部１０２１における弧形の凹面の角度を変化させることで、洗濯水が噴出する形状を調整できる。図１１に示すように凹部１０２１の凹面は均一な球面であり、図１２に示すように凹部１０２１の凹面は左右対称で不均一な円弧面であり、この凹面はより洗濯水が集中し、できるだけ遠くまで噴出するように対称軸に締められる。
【００４２】
当業者がさらに理解できるように、噴射通路１０１１から噴出した洗濯水を分散させることができるという前提の下で、凹部１０２１は円弧であることに加えて、任意の可能な形状、例えばＵ字状の凹部又はフレア凹部であってもよい。
【００４３】
図１１および図１２を参照すると、本発明の第１実施例におけるノズル１０から噴出される洗濯水は水平に噴出され、すなわちノズル１０から噴出される滝状の洗濯水がノズル本体１０１１の軸線を囲む方向（ノズル本体１０１１の外円周と同心である）での高さは同じである。
【００４４】
図１３から図１５に示すように、本発明の第２実施例では、遮水構造１０２に対応する２つの側縁の高さが異なるという点で第１実施例と異なり、それにより、洗濯水は遮水構造１０２で跳ね返された後にノズル本体１０１１の軸線を囲む方向において高さ差を形成することができる（図２および図１５に示す）。
【００４５】
図１３および図１４に示すように、遮水構造１０２の第１縁の中点からノズル本体１０１の下端までの高さはＨ１であり、遮水構造１０２の第２縁の中点からノズル本体１０１の下端までの高さはＨ２である。図１３と図１４から、Ｈ１がＨ２よりも小さいことが分かる。
【００４６】
当業者であれば理解できるように、本発明の第２実施例におけるノズル１０は、洗濯水を扇形に内ドラム３内に吹込むだけでなく、噴出した洗濯水を周方向に高さ差を生じさせ、洗濯水の液面を浮上させた衣類に立体的なスプレーを施すことができる。
【００４７】
以上のように、本発明の好適な技術案では、遮水構造１０２のノズル本体１０１に面する側に凹部１０２１を設けることにより、噴射通路１０１１から噴出された束状の洗濯水を凹部１０２１に均一に分散させて内ドラム３内に流し、内ドラム３中の衣類に均一にスプレーすることができる。このため、本発明のノズル１０は、パルセータ洗濯機の内ドラム３内の衣類に対するスプレー効果を向上させ、さらにパルセータ洗濯機の衣類に対する洗浄効果を最適化することができる。
【００４８】
また、外ドラムカバー２１のカバー体２１１が破損した場合に、環状腔２１２が漏水することを防止するために、本発明は、外ドラムカバー２１の以下の実施形態を提供する。
【００４９】
本発明の上記外ドラムカバー２１の好適な実施形態の代替案として、環状腔２１２はパイプによって代替されてもよい。このパイプはカバー体２１１に固定的に接続される。例示的には、パイプには第１係合構造が設置され、カバー体２１１には第１係合構造に適合する第２係合構造が設置される。パイプとカバー体２１１を第１係合構造と第２係合構造によって係合させる。具体的には、第１係合構造は、パイプの周方向に設けられた環状溝であり、第２係合構造は、カバー体２１１の外ドラム２に面する側に設けられるＣ字状係合爪である。Ｃ字状係合爪は環状溝に引っ込めるので、パイプとカバー体２１１とが接続される。また、当業者であれば、必要に応じて、第１係合構造を省き、第２係合構造がパイプを収容しクランプするようにしてもよい。また、当業者であれば、必要に応じて、ネジによる接続、接着、ボンディングなどの他の任意の可能な接続方法を用いて、パイプとカバー体２１１を接続することもできる。
【００５０】
環形腔２１２と同様に、パイプにも給水口と複数の排水口があり、この給水口は水管によって循環ポンプ８及び／又は給水弁に連通する。複数の排水口は、それぞれ１つのノズル１０に連通する。当業者が理解できるように、パイプと複数のノズル１０との間は、ネジによる接続、溶接、係着、プラグインなど、任意の可能な接続方式で接続することができる。或いは、当業者であれば、必要に応じて、パイプと複数のノズル１０と一体的に作製してもよい。当業者は、全てのノズル１０との連通が可能な場合には、本実施形態におけるパイプは、首尾が繋がりかつ連通する環状パイプであってもよいし、首尾が繋がることができないパイプであってもよいことも理解できる。さらに、本実施形態のパイプは、フレキシブルなものであってもよいし、剛性のあるものであってもよい。さらに、本実施形態におけるパイプの断面は、円形の環状構造、方形の環状構造、楕円形の環状構造など、任意の可能な形状であってもよい。
【００５１】
上記外ドラムカバー２１の好適な実施形態と同様に、本実施形態におけるパイプとノズル１０は、カバー体２１１上の遮蔽構造２１１１によって遮蔽される。
【００５２】
当業者が理解できるように、構造が簡単なパイプの防水性は、複雑なカバー体２１１の防水性よりも優れているため、外ドラムカバー２１の漏水による筐体１と外ドラム２との間の電子素子の腐食を効果的に避けることができる。また、パイプが破損した場合、パイプの交換コストも外ドラムカバー２１全体の交換コストよりも低くなり、パルセータ洗濯機のメンテナンスコストを削減する。
【００５３】
以上、図面に示す好適な実施形態に関連して本発明の技術案を説明したが、当業者であれば、本発明の保護範囲がこれらの具体的な実施形態に限定されないことは明らかである。本発明の原理から逸脱することなく、当業者は、関連する技術的特徴を同等に変更または置換することができ、これらの変更または置換後の技術案は、本発明の保護範囲内に含まれるものである。
【符号の説明】
【００５４】
１、筐体；１１、ハブ；１２、ドアカバー；２、外ドラム；２１、外ドラムカバー；２１１、カバー体；２１１１、遮蔽構造；２１２、環状腔；２１３、給水口；３、内ドラム；４、パルセータ；５、駆動モータ；６、排水弁；７、排水管；８、循環ポンプ；９、循環水管；１０、ノズル；１０１、ノズル本体；１０１１、噴水通路；１０２、遮水構造；１０２１、凹部。
【図１】
2022500114.tif 000003
【図２】
2022500114.tif 000004
【図３】
2022500114.tif 000005
【図４】
2022500114.tif 000006
【図５】
2022500114.tif 000007
【図６】
2022500114.tif 000008
【図７】
2022500114.tif 000009
【図８】
2022500114.tif 000010
【図９】
2022500114.tif 000011
【図１０】
2022500114.tif 000012
【図１１】
2022500114.tif 000013
【図１２】
2022500114.tif 000014
【図１３】
2022500114.tif 000015
【図１４】
2022500114.tif 000016
【図１５】
2022500114.tif 000017
【国際調査報告】
2022500114.tif 000018
2022500114.tif 000019
2022500114.tif 000020
2022500114.tif 000021
2022500114.tif 000022
2022500114.tif 000023